(57)【要約】      （修正有）【課題】  軸受部への水やダストの進入を防止する別部品としてのダストカバーが不要であるプーリを提供する。【解決手段】  プーリ１０は、プーリ被取付部２０に対し、それを覆うように取り付けられる。プーリ本体１１の裏面側に有底の軸受用凹部１３が形成され、その軸受用凹部１３に環状の軸受部材１５が嵌め入れられている。軸受部材１５と軸受用凹部１３の底との間にボルト頭部が係合し、プーリ本体１１の裏面側にボルトネジが突出するように、取付用ボルト１６が設けられている。【選択図】図１
2006009915.tif 000002
【特許請求の範囲】
【請求項１】
プーリ被取付部に対し、それを覆うように取り付けられるプーリであって、
プーリ本体の裏面側に有底の軸受用凹部が形成され、該軸受用凹部に環状の軸受部材が嵌め入れられていることを特徴とするプーリ。
【請求項２】
請求項１に記載されたプーリにおいて、
上記軸受部材と上記軸受用凹部の底との間にボルト頭部が係合し、且つ、上記プーリ本体の裏面側にボルトネジ部が突出するように、取付用ボルトが設けられ、
上記軸受用凹部の底中心にボルト締め用孔が形成されていることを特徴とするプーリ。
【請求項３】
請求項１に記載されたプーリにおいて、
上記軸受部材がボールベアリングであることを特徴とするプーリ。
【発明の詳細な説明】
【技術分野】
【０００１】
本発明は、プーリ被取付部に対し、それを覆うように取り付けられるプーリに関する。
【背景技術】
【０００２】
自動車のエンジンやオートテンショナのブラケットなどに設けられるアイドラプーリは、プーリ被取付部に対し、それを覆うように取り付けられる。
【０００３】
ところで、図３に示すように、自動車のエンジンに取り付けられる補機駆動用のプーリ１０’には、表面側に軸受用凹部１３’が形成され、その軸受用凹部１３’にボールベアリング１５’が嵌め入れられている。
【０００４】
プーリ１０’は、エンジンに突設されたプーリ取付用軸２１’にボールベアリング１５’が外嵌めされ、その上からダストカバー１９’が被せられて、さらにその上から取付用ボルト１６’が締められて固定される。そして、このダストカバー１９’によって、軸受部への水やダストの進入が防止される。
【０００５】
特許文献１には、ボルト及び径方向外側に突出するフランジを有するナットを用いて軸受を揺動部材へ固定し、プーリの内筒部の端部に軸受の側面に沿って径方向に延びる延長部を設け、この延長部の端部とナットのフランジとの間にラビリンスシールを形成したオートテンショナが開示されている。そして、これによれば、簡単な構造で、かつ安価に、軸受部にダストや泥水等が侵入するのを防止することができる、と記載されている。
【特許文献１】特開２００３−８３４０５号公報
【発明の開示】
【発明が解決しようとする課題】
【０００６】
ところが、上記のようなアイドラプーリを用いる場合、プーリとは別部品のダストカバーが必要であり、そのコスト、管理及び取付工数を要すると共に、その取付忘れや表裏取付間違いなどを生じるという問題がある。
【０００７】
本発明は、かかる点に鑑みてなされたものであり、その目的とするところは、軸受部への水やダストの進入を防止する別部品としてのダストカバーが不要であるプーリを提供することにある。
【課題を解決するための手段】
【０００８】
上記の目的を達成する本発明は、
プーリ被取付部に対し、それを覆うように取り付けられるプーリであって、
プーリ本体の裏面側に有底の軸受用凹部が形成され、該軸受用凹部に環状の軸受部材が嵌め入れられていることを特徴とする。
【０００９】
上記の構成によれば、軸受部材が嵌め入れられる有底の軸受用凹部がプーリ本体の裏面側に形成されており、軸受用凹部の底が軸受部をカバーするので、それによって前面側からの水やダストの軸受部への進入を防止することができる。従って、軸受部への水やダストの進入を防止する別部品としてのダストカバーが不要である。
【００１０】
本発明のプーリは、上記軸受部材と上記軸受用凹部の底との間にボルト頭部が係合し、且つ、上記プーリ本体の裏面側にボルトネジ部が突出するように、取付用ボルトが設けられ、上記軸受用凹部の底中心にボルト締め用孔が形成されているものであってもよい。
【００１１】
上記の構成によれば、取付用ボルトもが一体となっているので、取付用ボルトを別部品として管理する必要がなく、プーリの取付も容易化されることとなる。
【００１２】
本発明のプーリは、上記軸受部材の種類が特に限定されるものではなく、例えばボールベアリングであるものであっても、また、ころ軸受部材であってもよい。
【発明の効果】
【００１３】
本発明によれば、軸受部材が嵌め入れられる有底の軸受用凹部がプーリ本体の裏面側に形成されているので、軸受部への水やダストの進入を防止する別部品としてのダストカバーを設けることなく、前面側からの水やダストの軸受け部への進入を防止することができる。
【発明を実施するための最良の形態】
【００１４】
以下、本発明の実施形態を図面に基づいて詳細に説明する。
【００１５】
図１は、本発明の実施形態に係るプーリ１０を示す。
【００１６】
このプーリ１０は、プーリ本体１１が金属や樹脂等により前面側に開口した有底の円筒状に形成されている。そして、その円筒状のプーリ本体１１の外周面がベルト接触部１２に構成されている。また、プーリ本体１１の裏面側には、円筒状の有底の軸受用凹部１３が形成され（すなわち、表面側に円柱状の突出部が形成され）、その軸受用凹部１３にボールベアリング（軸受部材）１５が嵌め入れられている。さらに、ボールベアリング１５と軸受用凹部１３の底との間にボルト頭部１７のフランジ部１７ａが係合し、且つ、プーリ本体１１の裏面側にボルトネジ部１８が突出するように取付用ボルト１６が設けられている。また、軸受用凹部１３の底中心に軸受用凹部１３が形成され、その軸受用凹部１３からボルト頭部１７の六角部１７ｂが露出して前面側に突出している。つまり、このプーリ１０は、プーリ本体１１とボールベアリング１５と取付用ボルト１６とが一体となった複合部品となっている。
【００１７】
軸受用凹部１３は、その外径がボルト頭部１７の六角部１７ｂの外径よりも大きく且つフランジ部１７ａの外径よりも小さく形成されている。従って、これによってボールベアリング１５の前面側が軸受用凹部１３の底によって覆われた状態となっている。また、前面側から工具を用いて取付用ボルト１６を締めることができる。
【００１８】
図２は、このプーリ１０の取付構造を示す。
【００１９】
エンジンやブラケットなどのプーリ被取付部２０には、プーリ１０を取り付けるためのプーリ取付用軸２１が突設され、プーリ１０は、それを覆うように取り付けられている。プーリ取付用軸２１は、基端側部分２１ａが大径で先端側部分２１ｂが小径に形成されており、先端側部分２１ｂがボールベアリング１５に嵌合すると共に、基端側部分２１ａの上面がボールベアリング１５に当接して位置決めし、それによって軸受部を構成している。また、プーリ取付用軸２１には、同軸のネジ孔２２が形成されており、取付用ボルト１６のボルトネジ部１８が螺合し、ボルト頭部１７のフランジ部１７ａとプーリ取付用軸２１の基端側部分２１ａの頂部との間でボールベアリング１５を狭持固定している。
【００２０】
プーリ１０をプーリ被取付部２０に取り付けるときには、プーリ取付用軸２１のネジ孔２２に取付用ボルト１６のボルトネジ部１８を螺合させると共に、ボールベアリング１５をプーリ取付用軸２１の先端部に外嵌めし、取付用ボルト１６を最後まで締め付けるようにすればよい。
【００２１】
このような構成のプーリ１０によれば、ボールベアリング１５が嵌め入れられる有底の軸受用凹部１３がプーリ本体１１の裏面側に形成されており、軸受用凹部１３の底が軸受部をカバーするので、それによって前面側からの水やダストの軸受部への進入を防止することができる。従って、軸受部への水やダストの進入を防止する別部品としてのダストカバーが不要である。
【００２２】
また、取付用ボルト１６が一体となっているので、取付用ボルト１６を別部品として管理する必要がなく、プーリ１０の取付も容易化されることとなる。
【００２３】
なお、上記実施形態では、ボールベアリング１５を軸受部材としたが、特にこれに限定されるものではなく、ころ軸受部材等であってもよい。
【００２４】
また、上記実施形態では、プーリ１０に取付用ボルト１６が一体となったものとしたが、特にこれに限定されるものではなく、取付用ボルト１６が別体のものであってもよい。
【産業上の利用可能性】
【００２５】
プーリ被取付部に対し、それを覆うように取り付けられるプーリに有用である。
【図面の簡単な説明】
【００２６】
【図１】本発明の実施形態に係るプーリの断面図である。
【図２】本発明の実施形態に係るプーリの取付構造を示す断面図である。
【図３】従来のプーリの取付構造を示す断面図である。
【符号の説明】
【００２７】
１０，１０’  プーリ
１１，１１’  プーリ本体
１２  ベルト接触部
１３，１３’  軸受用凹部
１４  ボルト締め用孔
１５，１５’  ボールベアリング（軸受部材）
１６，１６’  取付用ボルト
１７  ボルト頭部
１７ａ  フランジ部
１７ｂ  六角部
１８  ボルトネジ部
１９’  ダストカバー
２０  プーリ被取付部
２１，２１’  プーリ取付用軸
２１ａ  基端側部分
２１ｂ  先端側部分
２２  ネジ孔
【図１】
2006009915.tif 000003
【図２】
2006009915.tif 000004
【図３】
2006009915.tif 000005